(57)【要約】【課題】  本発明は情報記憶素子を媒介として携帯電話機等の読み取り装置に用紙等の記録媒体に記録された情報に関連する情報を表示し、情報の有用な利用を図るものである。【解決手段】  本発明はＲＦＩＤタグ等の情報記憶素子に記録された情報に基づいて情報の取得を行う情報取得システムであり、無線ＩＣタグからシリアル番号を読み出すと共に、サーバによって印刷した画像の関連情報と無線ＩＣタグのシリアル番号を関連付けて管理し、サーバに対してシリアル番号の送信がある場合、サーバから関連する情報をダウンロードし、記録媒体と記録媒体に記録された情報を結びつけるものである。このように構成することにより、情報記憶素子を媒介として携帯電話機等の読み取り装置に記録媒体に記録される情報に関連する情報を表示する。【選択図】  図５
2006001142.tif 000002
【特許請求の範囲】
【請求項１】
情報記憶素子を埋め込んだ記録媒体に記録を行う記録装置において、情報管理サーバから受信した記録情報を前記記録媒体に記録する記録手段と、該記録手段の記録処理工程中に前記記録媒体に記録される記録情報に関連する情報を前記情報記憶素子に書き込む書き込み手段を備え、前記記録情報に関連する情報は前記情報記憶素子から非接触に情報を読み取る読取装置により読み取ることができることを特徴とする記録装置。
【請求項２】
記録情報及び該記録情報に付帯する情報を格納し、通信回線を介してアクセス可能な情報管理サーバと、
前記情報管理サーバから所望の記録情報を選択指定してダウンロードし、前記付帯する情報にアクセスするための情報を記録媒体に埋め込まれた情報記憶素子に書き込むと共に、前記記録情報を前記記録媒体に記録する記録装置と、
前記情報記憶素子の情報を読み取る読み取り手段と、該読み取った情報に基づいて前記記録情報に関連する情報を格納する前記情報管理サーバにアクセスし、前記関連する情報をダウンロードするダウンロード制御手段と、該ダウンロードした情報を表示する表示手段とを備える情報記憶素子の読み取り装置と、
を有することを特徴とする情報取得システム。
【請求項３】
前記記録装置は、前記記録情報の印刷を行う写真印刷自動販売機であることを特徴とする請求項１記載の記録装置。
【請求項４】
前記記録装置は、前記記録情報の印刷を行う写真印刷自動販売機であることを特徴とする請求項２記載の情報取得システム。
【発明の詳細な説明】
【技術分野】
【０００１】
本発明は無線ＩＣタグ等の情報記憶素子を用紙に付加し、当該用紙に印刷する情報に関するデータを情報記憶素子に記録する記録装置、及び当該記録装置を使用する情報取得システムに関する。
【背景技術】
【０００２】
近年、無線ＩＣタグを利用した技術が展開されている。無線ＩＣタグ（ＲＦＩＤ(Radio Frequency Identification)タグ）は、例えば１２８ビットで構成される唯一のシリアル番号を有し、データの書き込み及び読み取りが可能である。また、非接触で情報の書き込み、及び読み取りを行うことができ、サイズも極めて小さいため、例えば紙に漉き込むことも可能である。このため、印刷用の用紙や写真用紙等に無線ＩＣタグを付加して利用することが提案されている。
【０００３】
特許文献１は、印字用紙にＲＦＩＤタグを設ける構成であり、プリンタ機能及びファクシミリ機能を有する複写機に原稿用のリーダライタ、及び印字用紙用のリーダライタを設け、パーソナルコンピュータ等の外部機器から送信される文字データや図形データに基づいて印字用紙に視認情報を印字すると共に、デジタルデータとして記録しておくべきデータはＲＦＩＤタグに書き込む構成である。
【特許文献１】特開２００２−３３７４２６号公報
【発明の開示】
【発明が解決しようとする課題】
【０００４】
しかしながら、用紙にＲＦＩＤタグが漉き込まれると考える場合、用紙に印刷した情報をＲＦＩＤタグの情報と結びつけることが有用である。例えば、デジタル写真を印刷した写真用紙の場合、写真ファイル名や撮影日時の情報を用紙に結び付けることができる。また、ビジネス文書の印刷においても、例えばコピー禁止の透かし機能をＲＦＩＤタグに持たせ、印刷日時やファイル名と結び付けることもできる。
【０００５】
さらに、人物が写真印刷された場合には当該人物のプロフィールがRFIDタグに記録された情報から検索できることが有用であり、また建物や風景の写真印刷の場合には当該建物や風景の紹介情報がRFIDタグに記録された情報から検索できることが有用である。
【０００６】
しかし、上記処理を行う為には印刷装置がこのような機能を搭載していることが必要になる。
そこで、本発明は無線ＩＣタグからシリアル番号を読み出し、サーバで印刷した画像の関連情報と無線ＩＣタグのシリアル番号を関連付けて管理し、サーバに対してシリアル番号の送信があるとサーバから上記のような関連情報を取得し、無線ＩＣタグによって用紙と用紙への記憶情報を結びつけるものである。
【課題を解決するための手段】
【０００７】
上記課題は本発明によれば、情報記憶素子を埋め込んだ記録媒体に記録を行う記録装置において、情報管理サーバから受信した記録情報を前記記録媒体に記録する記録手段と、該記録手段の記録処理工程中に前記記録媒体に記録される記録情報に関連する情報を前記情報記憶素子に書き込む書き込み手段を備え、前記記録情報に関連する情報は前記情報記憶素子から非接触に情報を読み取る読取装置により読み取ることができる記録装置を提供することによって達成できる。
【０００８】
このように構成することにより、用紙等の記録媒体に記録される記録情報に関連する情報が情報記憶素子に書き込まれ、例えば用紙に記録された文書データのファイル名や印刷日時の情報等の情報を情報記憶素子に書き込むことができる。
【０００９】
また、上記課題は本発明によれば、記録情報及び該記録情報に付帯する情報を格納し、通信回線を介してアクセス可能な情報管理サーバと、前記情報管理サーバから所望の記録情報を選択指定してダウンロードし、前記付帯する情報にアクセスするための情報を記録媒体に埋め込まれた情報記憶素子に書き込むと共に、前記記録情報を前記記録媒体に記録する記録装置と、前記情報記憶素子の情報を読み取る読み取り手段と、該読み取った情報に基づいて前記記録情報に関連する情報を格納する前記情報管理サーバにアクセスし、前記関連する情報をダウンロードするダウンロード制御手段と、該ダウンロードした情報を表示する表示手段とを備える情報記憶素子の読み取り装置とを有する情報取得システムを提供することによって達成できる。
【００１０】
このように構成することにより、情報管理サーバは記録情報及び該記録情報に付帯する情報を格納し、記録装置は上記情報管理サーバから所望の記録情報を選択指定してダウンロードし、情報記憶素子が埋め込まれた記録媒体に記録し、情報記憶素子を媒介として携帯電話機等の読み取り装置に記録媒体に記録される情報に関連する情報を表示することができる。
【００１１】
また、上記記録装置は、記録情報の印刷を行う写真印刷自動販売機である。このように構成することにより、写真印刷自動販売機に配設された印刷装置において、無線ＩＣタグが付加された印刷用紙を使用し、用紙への記録情報に関連するファイル名や印刷日時等の情報を携帯電話機等の読み取り装置を介して知ることができる。
【発明の効果】
【００１２】
本発明によれば、無線ＩＣタグを使用して用紙に様々な情報を付加することができる。
また、ネットワーク上に構築された情報管理サーバを利用することによって、記録情報に付帯する情報を上記情報管理サーバからダウンロードし、情報記憶素子を媒介として携帯電話機等の読み取り装置に記録媒体に記録される情報に関連する情報を表示し、情報の有用な利用を図ることができる。
【発明を実施するための最良の形態】
【００１３】
以下、本発明の実施の形態を図面を参照しながら説明する。
（実施形態１）
図１は、本実施形態の説明で使用する写真印刷自動販売機の外観構成を示す図である。尚、本例の情報取得システムはネットワークを介してサーバに接続された写真印刷自動販売機内の印刷装置を例にして説明するものである。
【００１４】
同図に示す写真印刷自動販売機１は、街角や小売店、スーパー、写真店、観光地の店舗、テーマパーク、映画館、オフィスビルの建物内等に設置されている。写真印刷自動販売機１の正面には、表示／操作部（ディスプレイ＆タッチパネル）２、メディア挿入口３、料金挿入／返却口４、及び印刷物取出口５が設けられている。表示／操作部（ディスプレイ＆タッチパネル）２は、例えば液晶ディスプレイと、液晶ディスプレイに表示されるキーや、ボタン、アイコン等を選択する不図示の操作部で構成されている。表示／操作部（ディスプレイ＆タッチパネル）２には、例えばデジタルカメラ等で撮影した画像情報が、サムネイル表示され、また有料モード又は無料モードの選択アイコン等の各種の情報が表示される。
【００１５】
また、表示／操作部（ディスプレイ＆タッチパネル）２の上記表示に従って、例えばユーザは有料モード又は無料モードの選択操作を行い、また印刷枚数の指定操作を行う。メディア挿入口３は、デジタル画像情報や映像情報を記憶するコンパクトフラッシュ（登録商標）カードやスマートメディア、ＳＤカード、メモリースティック、フロッピィディスク、ＰＣカード、光磁気ディスク、コンパクトディスクＲＯＭ（ＣＤ−ＲＯＭ）、コンパクトディスクレコーダブル（ＣＤ−Ｒ）等の記憶媒体の挿入口であり、上記記憶媒体には例えばデジタルカメラ等で撮影したデジタル画像情報や映像情報が書き込まれている。
【００１６】
上記メディア挿入口３の直下には、作業テーブル６が手前に突出して設けられており、例えばデジタルカメラの載置等に利用される。また、作業テーブル６の右側には料金挿入／返却口４が設けられ、紙幣や硬貨の投入が行われる。また、料金挿入／返却口４には不図示の返却レバーを操作することによって釣銭が返却される。
【００１７】
印刷物取出口５は印刷出力を取り出すボックスであり、複数枚の印字用紙が出力される。また、この印刷物取出口５には、例えば小型の簡易アルバム等の付加部材も出力される。
【００１８】
一方、上記写真印刷自動販売機１内には印刷装置が配設されている。図２はこの印刷装置１０の構成を説明する図である。同図において、インクリボン１１には印刷のための染料等が塗布され、印刷を行うと、インクリボン１１は供給側リボンコア１２から巻き取り側リボンコア１３に順持巻き取られていく。尚、インクリボンセンサ１４はインクリボン１１の位置合わせを行うセンサである。
【００１９】
ロール紙１７は、その一端を樹脂等で構成されたコア（芯）１８に固定しており、他方を引き出すようにして、用紙引き込み用ピンチローラ１９と用紙送りグリップローラ２０間を通り、更にサーマルヘッド１５とプラテン１６間に送られる。サーマルヘッド１５は、対向するプラテン１６との間に用紙Ｐとインクリボン１１を挟み込むようにして、インクリボン１１に塗布された染料を用紙Ｐに転写する。
【００２０】
さらに、用紙Ｐは用紙送りピンチローラ２１と用紙送りグリップローラ２２間を通り、更にカッターユニット２３を通る。用紙送りピンチローラ２１と用紙送りグリップローラ２２は用紙Ｐを印刷方向の送り出し、又紙戻し方向に戻すためのものである。尚、用紙引き込み用ピンチローラ１９と用紙引き込み用グリップローラ２０とは、用紙送りピンチローラ２１と用紙送りグリップローラ２２の回転方向・回転速度に同期しており、補助的な動力となる。また、ユーザが新品のロール紙１７を印刷装置１０にセットする際には、用紙Ｐを印刷装置１０内に引き込む役割を担う。
【００２１】
カッターユニット２３は、用紙Ｐを所定のサイズ(例えば、A6判やL判等のサイズ)に切断するためのものである。切断位置や、サーマルヘッド１５での印刷位置を把握するためのセンサが紙先センサ２５である。RFIDタグインターフェイス（I／F）９は、用紙Ｐに漉き込まれているRFIDタグとのインターフェイスであり、RFIDタグに対して非接触通信方式により情報の読み書きを行う構成である。
【００２２】
図３は上記構成の印刷装置１０の制御ブロック図を示す。CPU２６は、装置全体の制御を行っており、本例の写真印刷自動販売機１のシステム制御も行っている。また、作業メモリ２７はCPU２６のワークメモリであり、印刷データメモリ２８は印刷装置１０が印刷するデータを格納するメモリである。
【００２３】
印刷制御回路２９は、印刷データメモリ２８から印刷データを読み出しつつ、サーマルヘッド１５を制御して画像の印刷を行う。機構制御回路３０は、CPU２６の制御に従って印刷装置１０の各種モータを動作させ、センサの情報を読み取る。また、通信制御回路３１はネットワークを介して通信を行い、印刷するデータを受信して印刷データメモリ２８に保存し、印刷するデータに関する情報（例えば、ファイル名等の情報）を受信し、更にRFIDタグ３２の情報に関して通信を行う回路である。
【００２４】
尚、図４は前述の印刷装置１０に使用されるロール紙１７の一部の構成を示す図であり、ロール紙１７には均一の間隔でRFIDタグ３３が漉き込まれ（または、埋め込まれ或いは貼付され）ている。
【００２５】
次に、上記構成において、以下に本例の処理動作を説明する。
CPU２６は通信制御回路３１に制御信号を送り、印刷データの受信処理を開始させる。この指示により、通信制御回路３１はネットワークとの通信を行い、遠隔の画像情報サーバから印刷データの受信処理を行い、受信した印刷データを印刷データメモリ２８に格納する。さらに、通信制御回路３１は外部メモリから印刷データのファイル名を受信し、CPU２６に送信する。CPU２６はこの情報を作業メモリ２７に格納する。
【００２６】
次に、CPU２６は機構制御回路３０に制御信号を送信し、紙先センサ２５の位置にロール紙１７（用紙Ｐ）の先端が位置するように制御する。その後、印刷制御回路２９と機構制御回路３０に制御信号を送り、印刷方向に用紙Ｐを送りながら印刷を行う。そして、印刷処理が完了すると、CPU２６は機構制御回路３０に制御信号を送り、ロール紙１７をカッタ（カッタユニット２３）で裁断する。
【００２７】
上記処理により、ロール紙１７に漉き込まれたRFIDタグ３３が検知されるか判断する。そして、RFIDタグI／F３２との通信可能な位置をRFIDタグ３３が通過すると、RFIDタグ３３のシリアル番号を読み出し、作業メモリ２７に保管する。また、現在時刻を作業メモリ２７に保管する。さらに、予め用意されている画像情報サーバのアクセス情報（ＵＲＬ）及び作業メモリ２７に格納しているファイル名をRFIDタグ３３に書き込む。
【００２８】
尚、用紙Ｐに漉き込まれるRFIDタグ３３は、少なくても印刷装置１０が用紙Ｐを裁断するときの最小裁断寸法より短い間隔である。また、予め所定の寸法にカットされている定型紙などに印刷する場合、定型紙一枚ごとに少なくても一つのRFIDタグ３３を漉き込む必要がある。
【００２９】
また、１枚の用紙（例えば、定型紙や裁断後のロール用紙）に複数個のRFIDタグ３３が存在する場合、全てのRFIDタグ３３のシリアル番号を読み出して作業メモリに格納し、全てのRFIDタグ３３に同じデータ（例えば、同じファイル名）を書き込むものとする。
【００３０】
上記処理によって、印刷から裁断までの作業が完了すると、CPU２６は通信制御回路３１に対して制御信号を送り、作業メモリ２７に格納しているRFIDタグ３３のシリアル番号と時刻情報、及びファイル名をネットワークに送信させる。上記情報の送信先はサーバ装置であり、RFIDタグ３３のシリアル番号と印刷時刻と印刷したファイル名が格納される。
【００３１】
図５は上記処理を模式的に示す図である。尚、同図においてRFIDタグ読み取り装置３５は、本例においてRFIDタグの読み書き機能を備えた携帯電話機であり、以後携帯電話機３５で示す。
【００３２】
文書画像や図形画像が印刷された用紙Ｐは印刷装置１０から出力され、携帯電話機３５を使用してRFIDタグ３３の情報が読み取られる。携帯電話機３５はRFIDタグ３３から読み出した情報をディスプレイ３５ａに表示する。本例では、前述のようにRFIDタグ３３にファイル名の情報が記録されており、ディスプレイ３５ａにはファイル名とRFIDタグ３３のシリアル番号が表示される。
【００３３】
また、携帯電話機３５はサーバアクセスのための通信機能を有しており、ＲＦＩＤタグ３３から読み取ったサーバのＵＲＬ（Uniform Resource Locator）をアクセスし、同様に読み取ったシリアル番号をキーにサーバ３６からネットワーク３７を介して情報を取得する。本例では、サーバ３６にRFIDタグ３３のシリアル番号に対応するファイル名、印刷時刻が記録されており、これらの情報が読み出され、ディスプレイ３５ａに表示される。また、サーバ３６には上記情報以外に、例えば予め人物のプロフィールや建物の情報等が記録されており、対応する人物が写真印刷された場合、その人物のプロフィールを読み出して携帯電話機３５のディスプレイに表示することができる。また、建物や風景の写真印刷の場合、その建物や風景の紹介情報を読み出して携帯電話機３５のディスプレイに表示することができる。即ち、百科事典のように、指定した画像を印刷すれば、その画像に対応する説明情報等を、携帯電話機の表示画面で参照することができる。所望の料理の写真を印刷すれば、その料理のレシピを携帯電話機で参照することもできる。
【００３４】
以上のように、本例の情報取得システムによれば、用紙Ｐに漉き込まれたRFIDタグ３３を検出し、RFIDタグ３３から情報を読み出し、更にサーバ３６に対して、対応する用紙Ｐに関する情報を送信することで、用紙に印刷された画像との関連をRFIDタグ３３によって連結することが可能となる。
【００３５】
尚、本例では、用紙ＰにRFIDタグ３３が漉き込まれている例について説明したが、シール状のRFIDタグ３３を用紙Ｐに貼り付け、又はRFIDタグ３３の機能を印刷技術により用紙Ｐに添付する場合でも、本例の情報取得システムを適用することができる。
【００３６】
尚、上記例ではRFIDタグ３３とサーバ３６の両方に情報を記憶する構成としたが、RFIDタグ３３への書き込み情報のみで構成する場合、サーバ３６に情報を記憶する必要はない。この場合、前述の図２に示す回路ブロック中、通信制御回路３１は印刷データの受信を行うだけの回路として機能し、ネットワーク３７を介してサーバ３６との通信を行う必要はない。
【００３７】
また、上記説明では、一枚の用紙Ｐに複数のRFIDタグ３３が存在する場合、全てのRFIDタグ３３から情報を読み出し、全てのRFIDタグ３３に情報を書き込む構成としたが、１つのRFIDタグ３３に対してのみ、情報の書き込み及び読み出しを行う構成としてもよい。また、他のRFIDタグ３３に対して無効であることを示す情報を書き込む構成としてもよい。
【００３８】
また、上記実施形態では本例に使用する印刷装置として、写真印刷自動販売機１に配設された印刷装置としたが、写真印刷自動販売機１内の印刷装置に限定される訳ではなく、例えばパーソナルコンピュータとプリンタ装置の組合せを挙げることもできる。この場合、プリンタ装置はパーソナルコンピュータとの通信のみを行い、ネットワークへの通信機能はパーソナルコンピュータが行うように構成する。
【００３９】
また、RFIDタグ読み取り装置としては、上記携帯電話機３５に限定されるものではなく、他の無線ＩＣタグの読み取り装置で構成することもできる。
更に、上記実施形態では、RFIDタグ３３のシリアル番号をキーにしてサーバの情報を読み出す構成を示したが、印刷した画像ファイル名をRFIDタグ３３から読み取り、これをキーにしてサーバからその画像に付帯する関連情報を読み出し、携帯電話３５にダウンロードしてディスプレイ３５に表示させる方式であっても良い。
（実施形態２）
次に、本発明の実施形態２について説明する。
【００４０】
前述の実施形態の説明では、RFIDタグ３３に印刷情報の書き込みを行った。しかし、印刷装置には、例えば有名人のブロマイドを印刷する装置や、ユーザが撮影した写真にキャラクタなどを合成して印刷する装置、更にはユーザが撮影した写真に観光地等のフレームを合成して印刷する装置など様々な印刷装置が存在する。
【００４１】
例えば、有名人のブロマイドを印刷する装置ではRFIDタグ３３のシリアル番号と印刷した有名人の情報を関連付けてサーバに格納しておくことができる。また、ブロマイドをRFIDタグ読み取り装置で読み込む場合、有名人の生年月日や趣味嗜好などの情報をディスプレイに表示し、有名人の音声をRFIDタグ読み取り装置で再生し、更には有名人の映像をディスプレイ上で再生することが可能になる。以下、具体的に説明する。
【００４２】
図６は本例の情報取得システムを説明する図である。同図に示すブロマイドサーバ４０は、ブロマイドの画像データと、当該画像データに対応する音声情報のデータがセットになって格納されている。尚、本例で使用する印刷装置は、前述と同様写真印刷自動販売機１であり、写真印刷自動販売機１（印刷装置１０）はブロマイドを印刷する機能も有する。尚、ユーザはブロマイド印刷を行うため、印刷料金を支払わなければならないものとする。
【００４３】
また、RFIDタグ読み取り装置４２としては、RFIDタグ３３の情報を読み取り、RFIDタグ３３に格納されている情報を解釈して自動的にネットワークにアクセスし、ブロマイドサーバ４０から情報を取り出し、情報の再生が可能な装置である。尚、本例においてもRFIDタグ読み取り装置としては、携帯電話機４２を使用する。
【００４４】
尚、同図に示すブロマイド４３は、印刷装置１０によって印刷された印刷物であり、RFIDタグ３３が漉き込まれている。また、印刷装置１０によって印刷されたブロマイド４３は、前述の写真印刷自動販売機１の印刷物取り出し口５に出力される。
【００４５】
ブロマイド４３の印刷を行う場合、写真印刷自動販売機１の表示／操作部（ディスプレイ＆タッチパネル）２を操作し、図７に示す印刷受付画面を表示し、ブロマイド印刷のスタートボタンを押す。
【００４６】
この処理によって、ブロマイド印刷のメニューが選択され、ネットワーク４１を介してブロマイドサーバ４０にアクセスされる。ブロマイドサーバ４０は要求のあった写真印刷自動販売機１に対してタレントリストを転送し、写真印刷自動販売機１のディスプレイ４２ａに図８に示す表示を行う。
【００４７】
ユーザはディスプレイ４２ａに表示されるタレントリストを確認し、ブロマイド印刷を希望するタレントの選択を行う。このようにして希望するタレントが選択されると、次にネットワーク４１を介してブロマイドサーバ４０にアクセスし、選択されたタレント（例えば、○△□さん）のブロマイドのリストを要求する。
【００４８】
ブロマイドリストを要求されたブロマイドサーバ４０は、タレント（例えば、○△□さん）のブロマイドのリストを写真印刷自動販売機１に送信する。ブロマイドのリストを受信した写真印刷自動販売機１は、表示／操作部（ディスプレイ＆タッチパネル）２にブロマイドのリストを表示する。図９はこのブロマイドのリストを示す。
【００４９】
次に、同図に示す選択画面から、印刷を希望するブロマイドと印刷枚数を指定し、表示する。ユーザが印刷を希望するブロマイドと印刷枚数を指定すると、写真印刷自動販売機１は料金を表示する。そして、ユーザが料金を支払うと、写真印刷自動販売機１はユーザが選択したブロマイドの印刷画像データをブロマイドサーバに要求する。
【００５０】
要求を受けたブロマイドサーバ４０は、ブロマイドの印刷画像データを写真印刷自動販売機１に送信し、印刷装置１０は前述の図５に示すブロマイド４３を印刷する。また、印刷開始から完了までの間、CPU２６は前述の実施形態と同様、RFID タグI／F３２と通信を行いながら、用紙に漉き込まれているRFIDタグ３３が、RFIDタグI／F３２と通信可能な位置にくるか常に監視している。
【００５１】
その後、RFIDタグI／F３２との通信可能な位置に、RFIDタグ３３が達すると、RFIDタグ３３のシリアル番号が読み出され、前述の作業メモリ２７に記憶される。但し、本例ではシリアル番号を読み出すだけであり、RFIDタグ３３への書き込み処理は行わない。その理由は、RFIDタグ３３のシリアル番号に関連付ける情報が、例えばムービである為情報量が多く、RFIDタグ３３に格納できないためである。
【００５２】
さて、印刷処理が完了すると、CPU２６は通信制御回路３１に対して、作業メモリ２７に格納してあるRFIDタグ３３のシリアル番号をネットワーク３７に送信するよう制御信号を出力する。この通信先は、前述のブロマイドサーバ４０であり、ブロマイドサーバ４０では、RFIDタグ３３のシリアル番号と印刷したブロマイド画像関連情報、例えばブロマイドサーバ４０が写真印刷自動販売機１に送信した画像データに対応するムービーファイルを関連付けて記憶する。
【００５３】
一方、上記ブロマイド４３を取得したユーザは、携帯電話機４２を使用してRFIDタグ４３のシリアル番号及びブロマイドサーバ４０のＵＲＬを読み出し、ネットワーク４１を介してブロマイドサーバ４０にアクセスする。図１０はこの処理を説明するシーケンス図であり、ブロマイドサーバ４０にアクセスして得るべき対象は、ブロマイド４３に関連するムービーファイルである。
【００５４】
上記のように、携帯電話機４２は、RFIDタグ３３のシリアル番号を読み出し（ステップ（以下、Ｓで示す）１）、読み出したシリアル番号、及びムービーファイルの要求をブロマイドサーバ４０に対して行う（Ｓ２）。要求を受けたブロマイドサーバ４０では、シリアル番号から対応するムービーファイルを準備し（Ｓ３、Ｓ４）、携帯電話機４２に送信する（Ｓ５）。
【００５５】
ムービーファイルを受信した携帯電話機４２は、当該ファイルを携帯電話機４２のディスプレイ４２ａに表示し、スピーカを使って音声を再生する（Ｓ６、Ｓ７）。以上の処理によって、ブロマイド４３に対応したムービの再生が行われ、RFIDタグ３３を使用して印刷した画像データに対応する映像を見ることができる。
【００５６】
尚、上記説明ではRFIDタグ３３のシリアル番号の読み出しのみを行ったが、RFIDタグ３３に書き込める容量であれば、ファイル名の記録を行うように構成してもよい。
また、ムービーファイルを再生する例を説明したが、静止画を再生する場合にも適用でき、音声データのみを再生する場合でも適用することができる。
【００５７】
また、上記例ではブロマイド画像を印刷し、そのブロマイドに対応する情報を提供する例で説明したが、印刷装置１０が印刷する対象は必ずしもブロマイドである必要はなく、ユーザが撮影した写真であれば写真印刷自動販売機１の設置場所に関連する情報、例えば観光情報等の情報を再生し、キャラクタのフレームをユーザの写真に合成して印刷する印刷装置１０であれば、キャラクタの映像や音声を再生することも可能である。
【図面の簡単な説明】
【００５８】
【図１】写真印刷自動販売機の外観構成を示す図である。
【図２】印刷装置の構成を説明する図である
【図３】印刷装置の制御ブロック図である。
【図４】印刷装置に使用されるロール紙の一部の構成を示す図である。
【図５】実施形態１の処理を説明する模式図である。
【図６】実施形態２の処理を説明する模式図である。
【図７】印刷受付画面の例を示す図である。
【図８】タレントリストを示す図である。
【図９】ブロマイドのリストを示す図である。
【図１０】実施形態２の処理を説明するシーケンス図である。
【符号の説明】
【００５９】
１・・・写真印刷自動販売機
２・・・表示／操作部（ディスプレイ＆タッチパネル）
３・・・メディア挿入口
４・・・料金挿入／返却口
５・・・印刷物取出口
６・・・作業テーブル
１０・・・印刷装置
１１・・・インクリボン
１２・・・供給側リボンコア
１３・・・巻き取り側リボンコア
１４・・・インクリボンセンサ
１５・・・サーマルヘッド
１６・・・プラテン
１７・・・ロール紙
１８・・・コア（芯）
１９・・・用紙引き込み用ピンチローラ
２０・・・用紙送りグリップローラ
２１・・・用紙送りピンチローラ
２２・・・用紙送りグリップローラ
２３・・・カッターユニット
２５・・・紙先センサ
２６・・・CPU
２７・・・作業メモリ
２８・・・印刷データメモリ
２９・・・印刷制御回路
３０・・・機構制御回路
３１・・・通信制御回路
３２・・・RFIDタグインターフェイス
３３・・・RFIDタグ
３５・・・携帯電話機
３５ａ・・・ディスプレイ
３６・・・サーバ
３７、４１・・・ネットワーク
４０・・・ブロマイドサーバ
４２・・・携帯電話機
４２ａ・・・ディスプレイ
【図１】
2006001142.tif 000003
【図２】
2006001142.tif 000004
【図３】
2006001142.tif 000005
【図４】
2006001142.tif 000006
【図５】
2006001142.tif 000007
【図７】
2006001142.tif 000008
【図１０】
2006001142.tif 000009
【図６】
2006001142.tif 000010
【図８】
2006001142.tif 000011
【図９】
2006001142.tif 000012